(57)【特許請求の範囲】
【請求項１】
固定部に回動部を嵌設する支柱構造において、
前記固定部は、凹状の第一基盤と凹状の第二基盤とからなり、
これらの夫々の凹み同士が向き合ってその間に空洞が形成され、
前記固定部は天板又は／及び底板に固着され、
前記第一基盤に嵌合突起が突設され、
この嵌合突起の底面に開口穴が穿設されるとともに、
この開口穴の両側に、夫々緩やかに傾斜する螺旋面が形成され、
一方、前記回動部は円筒管からなる支柱の先端部に形成され、
前記先端部の直径方向に渡し板を橋絡し、
この渡し板のほぼ中央にＴ字状のロック棒を立設し、
前記固定部側の前記第一基盤の前記嵌合突起を、前記回動部側の前記先端部に挿嵌させるとともに、
前記Ｔ字状のロック棒の係止棒を前記底面の前記開口穴に挿通させ、
かつ、前記支柱を軸周りに回動させることによって、
前記係止棒が前記螺旋面に締め付けられながら、
前記固定部に前記回動部が係止される支柱構造であって、
前記空洞に、
前記第二基盤側から順に巻きバネ、座金及びＴ字状のロック棒が重装されることを特徴とする支柱構造。                              
【請求項２】
前記螺旋面に肉盛り部を設けることを特徴とする請求項１記載の支柱構造。
【発明の詳細な説明】
【技術分野】
【０００１】
本発明はテーブル、家具又は陳列棚等の支柱構造であって、天板又は／及び底板に支柱を立設するに際し、ワンタッチで支柱を着脱可能にするためにロック機構を設けた支柱構造に関する。詳しくは、天板又は／及び底板に支柱を瞬時に立設してテーブル又は陳列棚等を組み立て、例えばテーブルを並べて特売場の開店、或いは展示会の設営をし、しかる後、期間が過ぎたら支柱を瞬時に取り外して分解し、速やかに次の会場の準備をすることを可能にする支柱構造であって、支柱をロックする機構が衝撃等によって外れ難く、かつ支柱を瞬時に分解可能にした支柱構造に関する。
【背景技術】
【０００２】
従来から、着脱自在の脚、或いは支柱を備えたテーブルが知られており、脚の上端に取着した座板を、ボルト、ナットを使ってテーブルの底板裏面に着脱自在に固定させる方法を採っていた。また、座卓等であれば、底板と脚を蝶番で連結し、脚を折畳み自在にする方法も行われて来た。一方、日本は土地が狭いこともあり、土地の広さや形状に合せて店舗が作られていく。そして、限られた広さの店舗にできだけ多くの商品を並べる。そのために、テーブル、陳列棚等を配置して立体的に商品を並べて単位面積当たりの商品陳列の効率を上げることになる。また、陳列も年中固定したものではなく、例えば季節ごと、月ごと、或いは週間ごとに特売場を開店する等店舗内のレイアウトが変わる。そのために、テーブル、陳列棚の数が異なり、取り扱う商品アイテムも、陳列位置も必然的に変わらざるをえない。そこで、テーブル、陳列棚をリースで揃えレイアウトを検討することになる。つまり、テーブル、陳列棚は固定したものではなく、用が済んだら返却することになる。そのため、テーブル又は陳列棚には、支柱を短時間で組み立て或いは分解をすることが求められる。そこで、従来は、テーブル、陳列棚を立設するための一方の底板にナットを溶接し、かつ、他方の支柱の先端にボルトを溶接して、底板に支柱を螺着する連結構造とする。そして、支柱の間に棚板を段積みして陳列棚を構成することが行われる。用済み後は、螺子を緩めて底板と支柱に分解する。
【０００３】
このような陳列棚には数々の工夫がなされ、その中で次のような支柱構造に関する発明が提案されている。また、他に着脱自在の支柱を備えたテーブルが知られている。このものは、脚の上端に取着した座板を、ボルト、ナットを使ってテーブルの底板裏面に着脱自在に固定させる方法を採っていた。また、座卓等であれば、底板と脚を蝶番で連結し、脚を折畳み自在にする方法も行われて来た。本件出願人は、先に、家具の脚取付け構造について、不使用時には、家具本体からその脚部を簡単に取外せて、家具の保管、移動に便であり、使用時には、極めて簡単かつ強固に脚部を取付けられるようにした、テーブル等の家具の脚取付け構造に関する発明を提案している（特許文献１）。この特許文献は、テーブル等の家具の脚部を、底板等の家具本体に着脱自在に取付ける為の構造であって、家具本体に固定させる基盤に、有底短筒状の嵌合突起を下向きに突設した固定部と、脚部の上端に設けられて、前記嵌合突起を緊密に挿嵌させる嵌合孔を備える被固定部とから成り、前記嵌合突起の底面には、筒の径方向に伸びるスリットを設けると共に、底面の上面は、前記スリットの両側端から夫々筒周方向に上向きに緩やかに傾斜する斜面に形成し、前記嵌合孔の底部には、前記スリットに挿嵌させ得る形状を備えて、その上端に前記斜面に当接させる掛止部を設けた掛止部材を突設し、前記掛止部を前記スリットに挿通させたうえ、前記脚部をその軸周りに回動させると、前記掛止部が前記斜面を次第に締め付けて、前固定部と被固定部とが強固に係合される構成とする。
【先行技術文献】
【特許文献】
【０００４】
【特許文献１】特許第３４７４２６５号公報
【発明の概要】
【発明が解決しようとする課題】
【０００５】
以上の通りであって、従来のテーブルや陳列棚の支柱構造には、まとめると次のような問題点がある。
【０００６】
即ち、従来の支柱構造の問題点の第一は、構造が複雑なので天板に支柱を短時間で取付け或いは取り外すことができない。そのために、テーブル又は陳列棚がリース物件の場合、天板と支柱を短時間で分解して持ち運びたいたいという顧客のニーズに対応できない。また、各支柱に１個以上のナットを締め付けるので、螺脱する作業は甚だ繁雑であり、テーブル、陳列棚の台数が多い場合は、多くの時間と人手を要する。そのため、支柱の分解に時間が掛かるので、展示場、特売場等で次のセールのための会場の準備をできない。
【０００７】
特に、特許文献１は、支柱を天板又は底板に楔の原理を応用した固着治具を備えた支柱構造に関する提案である。詳細について図９を参照しながら説明する。図９（ａ）に示すように、固定部６１０に回動部６２０を固定する状態を示し、連結機構である。回動部６２０を構成するロック棒６７は、細長い金属製の係止棒６７１の中央に短い金属製の垂直棒６７２をＴ字形に結合した形態を備えており、この垂直棒６７２の根元が渡し板６５の中央に溶接、固着されている。即ち、渡し板６５の中央部において、固定部６１０と回動部６２０とを掛止させるためのロック棒６７がＴ字状に立設されている。ここで、垂直棒６７２の直径は１２〜２０ｍｍであり、係止棒６７１の直径は６〜１２ｍｍであり、長さは支柱２の径に応じて１５〜１００ｍｍである。Ｔ字型の水平方向の係止棒６７１は楔状に傾斜した螺旋面Ｓ１に侵入、食い込むことによってロックされ、固定部６１０に回動部６２０が固着される。そのために、係止棒６７１を開口穴６４に挿通させた状態で、係止棒６７１の下側面が辛うじて螺旋面Ｓ１と干渉することなく螺旋面Ｓ１の上に突き出る程度に、垂直棒６７２の高さ寸法を設定する。夫々の詳細を同図（ｂ）、（ｃ）に示し、下方の回動部６２０は支柱２の先端部に構成される。同図（ｂ）に示すように、固定部６１０は基盤６１、この中央における本図の裏側方向に凹んだ短筒状の嵌合突起６３、その底面６２、この中央部に穿孔された開口穴６４から構成される。ここで、基盤６１の厚さは、３．２ｍｍ、４．５ｍｍ、６．０ｍｍ等である。一方、同図（ｃ）の回動部６２０は、支柱２の上端に構成され、支柱２の内周部を共通にする嵌合部６６、内周直径方向に渡し板６５、この中央部にロック棒６７立設される。渡し板６５の厚さは、４．５ｍｍ、６．０ｍｍ、９．０ｍｍ等である。この支柱構造は、支柱を天板又は底板に瞬時に固着でき、一旦取付けるとその取付け強度も高いので非常に使い勝手がよいしかしながら製造上の微妙な寸法誤差が生じる結果、金属同士の噛合いなので、取り付けて締り過ぎると金属同士のカジリが生じて、今度は支柱を天板又は底板から取り外して分離することができない。テーブルとして用済みになりながら、分解して収納或いはリース物件の返却をすることができない。このため、リース物件のテーブル又は陳列棚には組み立て或いは分解の容易性が求められる。
【０００８】
そこで、本発明の支柱構造は、このような従来の抱える問題点を解決するためになされたもので、本発明の目的は、テーブルを立脚して使用する際には天板又は底板に支柱を極めて簡単に強固に取付け、その用済み後には支柱を天板からカジリ等を生じることなく取外し、保管又は移動・運搬の便を図るようにしたものである。そのため、支柱の取付け及び取外しを、ワンタッチで極力簡単、迅速、かつ確実に行うためにロック機構を工夫し、かつ、思いがけない衝撃等によってロックが外れる恐れの無いようにした支柱構造を提供することを目的とする。即ち、本発明のテーブル又は陳列棚の支柱構造は、立脚して使用する際には天板又は底板に支柱を極めて簡単に強固に取付け、用済み後にはカジリ等を生じることなく支柱を天板から取外し、保管又は移動・運搬の便を図るようにした支柱構造を提供することを目的とする。
【課題を解決するための手段】
【０００９】
そこで、本発明者等は、支柱を底板に瞬時に着脱自在に固定する手段として螺子締めの原理を応用することを着想し、この着想に基づき試作したところ、非常に使い勝手が良いという知見を得た。本発明の陳列棚はかかる知見を基に具現化したもので、請求項１の発明は、固定部に回動部を嵌設する支柱構造において、前記固定部は、凹状の第一基盤と凹状の第二基盤とからなり、これらの夫々の凹み同士が向き合ってその間に空洞が形成され、前記固定部は天板又は／及び底板に固着され、前記第一基盤に嵌合突起が突設され、この嵌合突起の底面に開口穴が穿設されるとともに、この開口穴の両側に、夫々緩やかに傾斜する螺旋面が形成され、一方、前記回動部は円筒管からなる支柱の先端部に形成され、前記先端部の直径方向に渡し板を橋絡し、この渡し板のほぼ中央にＴ字状のロック棒を立設し、前記固定部側の前記第一基盤の前記嵌合突起を、前記回動部側の前記先端部に挿嵌させるとともに、前記Ｔ字状のロック棒の係止棒を前記底面の前記開口穴に挿通させ、かつ、前記支柱を軸周りに回動させることによって、前記係止棒が前記螺旋面に締め付けられながら、前記固定部に前記回動部が係止される支柱構造であって、前記空洞に、前記第二基盤側から順に巻きバネ、座金及びＴ字状のロック棒が重装されることを特徴とする。また、請求項２の発明は、請求項１の発明の上記特徴に加えて、前記螺旋面に肉盛り部を設けることを特徴とする。
【発明の効果】
【００１０】
本発明による支柱構造によれば、以下に列挙するような実用上の優れた効果を奏する。第一に、天板又は／及び底板に支柱を取り付け、或いは、取外すには、天板又は／及び底板に固着された固定部の嵌合突起を、支柱の上端における回動部の嵌合部に嵌め込んだ後、支柱を正、逆回転方向に回動させるだけで足りる。 そのために、ボルト、ナットを使って支柱を連結する従来技術に比べて、支柱の着脱操作を遥かに簡単、迅速に殆どワンタッチ操作で行える。 また、外したナットを保管する煩わしさも無くなる。 そのうえ、スパナ等の着脱用工具は一切使わなくても済む。そして、 固定部と回動部とは、嵌合突起に形成した斜面の楔作用によってロック棒が螺旋面に食い込むので、十分な連結強度を確保でき、支柱のぐら付きを防ぐことができる。特に、支柱を天板又は／及び底板に固着した後、締め過ぎがあっても装着した巻きバネの弾性力によって金属同士の接触を緩和するので、金属同士によるカジリを生じることなく、支柱を天板又は底板から容易に分離することができることが、本発明の最大の作用効果である。
【図面の簡単な説明】
【００１１】
【図１】本発明の実施例１に係るテーブルの斜視図である。
【図２】同上、図１における固定金具のＸ−Ｘ矢視断面図である。
【図３】同上、固定金具部品の分解図である。
【図４】同上、固定金具の基盤及び回動部の部品図である。
【図５】同上、固定金具基盤の他の実施態様を示す図である。
【図６】本発明の実施例２に係るテーブルの斜視図である。
【図７】同上、天板及び底板の部品図である。
【図８】本発明の実施例３に係るテーブルの斜視図である。
【図９】従来例に係る固定金具の組立て図及び部品図である。
【発明を実施するための形態】
【００１２】
本発明の実施の形態を、添付図面に示した本発明の実施例に基づいて以下に具体的に説明する。
【実施例１】
【００１３】
先ず、本発明の実施例１について、図１〜図５を参照しながら説明する。図１は、本発明の実施例１に係るテーブルの斜視図である。図２は、図１における固定金具のＸ−Ｘ矢視断面図である。図３は、固定金具部品の分解図である。図４は、固定金具の基盤或いは回動部毎の部品図である。図５は、固定金具における基盤の他の実施態様を示す図である。
【００１４】
以下に、各種のイベント会場等で使われるテーブルに固定金具を適用した実施例について、図面を参照しながら説明する。図１に示したテーブル１００の４本の支柱２は、固定金具６を使用して天板１の裏面の４隅に夫々固着され、しかも、支柱２は着脱自在に立設される。支柱２の下端には高さ調整用のアジャスタ９が設けられる。
【００１５】
主要部となる固定金具の断面を図２に示すように、固定金具６は以下のように構成される。即ち、上方へ凹む第二基盤６２に、下方へ凹む第一基盤６１の夫々の凹み同士を向き合せることによって、まるで貝が蓋を閉じるように固定金具６が構成される。上方の第二基盤６２は、天板１の窪みに収まり、これに下方から第一基盤６１が下から向き合いように天板１に螺着され、これらの中に空洞が形成される。そして、支柱２の先端部の内周に、第一基盤６１側の嵌合突起６３が嵌合し挿着される。上記空洞の第二基盤６２側の天井部に接するように、上方に向けて巻きバネ６８の大径側が収まり、この巻きバネ６８の小径側には円盤状の座金６９が巻きバネ６８を挟むように位置し、この下面をＴ字状のロック棒６７が押し上げる。即ち、凹状の第二基盤６２に凹状の第一基盤６１が貝の蓋を閉じるように向き合って形成される空洞に、第二基盤６２側から順に巻きバネ６８、座金６９及びロック棒６７が重装される。このＴ字状のロック棒６７は、水平のロック棒６７１とこの中央部に直角に交わる垂直棒６７２からなり、垂直棒６７２の下端部は渡し板６５に固着されている。この渡し板６５は、支柱２の内周面に直角に溶着され、垂直棒６７２は下方から第一基盤６１の開口穴６４を貫通する。下方の回動部６１０は支柱２の先端部に構成される。以上のとおり、固定金具６は、第二基盤６２と第一基盤６１からなる上方の固定部６２０と支柱２にロック棒６７を溶着した下方の回動部６２０から構成される。
【００１６】
次に、図３に固定金具６を分解した部品図を示す。同図（ａ）は第二基盤を示し、同図（ｂ）は巻きバネを示し、同図（ｃ）は座金を示し、同図（ｄ）は第一基盤を示し、これらが固定部を構成する。同図（ｅ）は回動部を示す。同図（ａ）の第二基盤６２は、一枚の金属板をプレス成形したもので、上方へ凹状の円盤状である。同図（ｂ）は巻きバネ６８で、下方の小径部から上方に向けて径が拡大する円錐台状のバネである。同図（ｃ）は、円盤状の金属板からなる座金６９である。同図（ｄ）の第一基盤６１は、一枚の金属板をプレス成形したもので、下方へ凹状の円盤状であり、中央部に異形状の開口穴６４を備える（後述の図４参照）。第二基盤６２と第一基盤６１とが上下から貝が蓋を閉じたような空洞内において、巻きバネ６８は、上方の第二基盤６２の底面６２１と下方の座金６９とで挟着される。同図（ｅ）は回動部６２０を示し、円筒管からなる支柱２の内周上端近傍に構成される。支柱２の上端近傍の下方に、支柱２の内周面に直角に渡し板６５を溶着し、この渡し板６５の中央部に垂直棒６７２が直立固着され、この先端部に水平に係止棒６７１を構成する。ロック棒６７は、垂直棒６７２と係止棒６７１とからＴ字状に構成される。
【００１７】
固定部６１０側の第一基盤６１を図４（ａ）に示し、第一基盤６１は、方形の上面６１１と中央部において紙面の裏側方向へ凹む傾斜面６１３を有し、上面６１１の周縁部に四箇所の螺用穴を設けている。紙面の裏側方向へ凹む傾斜面６１３が短筒状に突設され、この傾斜面６１３の凹んだ底面において、ほぼ中央を径方向に長穴が横切る開口穴６４が穿設されている。開口穴６４は図示のように、中央部の丸穴６４１とこれに交差する径方向の長穴６４２から構成される。そして、この開口穴６４の上下には、螺旋面Ｓ１、Ｓ１が夫々緩やかに傾斜するように形成されている。即ち、上半分の部位では、螺旋面Ｓ１は高い面の左端部から方向Ｙ１の向きに緩やかに傾斜しながら下降し、一方、下半分の部位では螺旋面Ｓ１は高い面の右端部から方向Ｙ２の向きに緩やかに傾斜しながら下降する。このように、螺旋面Ｓ１、Ｓ１は方向Ｙ１或いはＹ２の向きに夫々捩れるように傾斜する。
【００１８】
一方、図４（ｂ）に示す回動部６２０は支柱２の内周の先端部近傍に構成される。つまり、支柱２における先端部の嵌合部６６に、固定部６２０における第一基盤６１の底面６１１から下方へ凹んだ部位の外郭部である嵌合突起６３が嵌合する（図２参照）。この嵌合部６６の先端から所定寸法だけ中に入った位置において、渡し板６５が支柱２の内周面に直角に橋絡状に溶接されており、この渡し板６５はこの嵌合部６６の行き止まりとなる。
【００１９】
固定部６１０に回動部６２０を固着する状態について、改めて図２を参照しながら、その連結機構の詳細を説明する。回動部６１０を構成するロック棒６７は、水平の細長い金属製係止棒６７１の中央に短い金属製の垂直棒６７２をＴ字状に固着した形態を備えており、この垂直棒６７２の根元が渡し板６５の中央に溶着されている。即ち、渡し板６５の中央部において、固定部６１０と回動部６２０とを掛止させるためのロック棒６７がＴ字状に立設されている。ここで、ロック棒６７の寸法は、例えば垂直棒６７２の直径は１２〜２０ｍｍであり、係止棒６７１の直径は６〜１２ｍｍであり、長さは支柱２の径に応じて１５〜１００ｍｍである。Ｔ字型の水平方向の係止棒６７１は楔状に傾斜した螺旋面Ｓ１に侵入、食い込むことによってロックされ、固定部６１０に回動部６２０が固着される。そのために、水平の係止棒６７１を開口穴６４の長穴６４２に挿通させた状態で、係止棒６７１の下側面が螺旋面Ｓ１と干渉することなく辛うじて螺旋面Ｓ１の上に突き出る程度に、垂直棒６７２の長さ寸法を設定する。
【００２０】
ここで、テーブル１００の製品仕様の例を示す。天板１は木製であり、一枚板、合板、或いは廃棄材を使用したパーティクルボードを芯材とした合板等を使用し、他にステンレス材、ポリエチレン、ポリプロピレン樹脂等を使用することもある。支柱２は外径６０．５ｍｍ、肉厚１．６ｍｍで、支柱２の高さは６７０〜９７０ｍｍの円筒管である。支柱２の外径として、他に７６．３、１０１．６ｍｍを使用することもある。その他、テーブルの固定金具の部品素材として、ステンレス材を使用する。
【００２１】
以上のように固定金具は構成され、次に作用について説明する。
【００２２】
図４（ａ）に示すように、第一基盤６１において、開口穴６４の両側には、夫々緩やかに傾斜する螺旋面Ｓ１、Ｓ１が形成されている。即ち、上半円の部位では、開口穴６４の螺旋面の高い位置の左端部から方向Ｙ１の向きに緩やかに捩れて傾斜しながら下降し、一方、下半円面の部位では開口穴６４の螺旋面の高い位置の右端部から方向Ｙ２の向きに緩やかに捩れて傾斜しながら下降する。ここで、螺旋面Ｓ１の傾斜角度の範囲は１〜８度が好ましかった。この傾斜角度の範囲では、係止棒６７１が螺旋面Ｓ１に食い込み易く、かつ、係止棒６７１が螺旋面Ｓ１から外れ難いことが分かった。即ち、固定部６１０に支柱２を取付け易く、かつ、支柱２は固定部６１０から外れ難かった。まとめると、この傾斜角度の範囲では、天板１或いは底板４に支柱２を確実に固着すること可能となり、支柱２をテーブル１００に固着することができ、テーブルとして使用中は問題ないが、天板１から支柱２を分離させる場合に問題が生じた。そこで、天板１側の第二基盤６２と係止棒６７１との間に巻きバネ６８を挟着することによって、支柱２の係止棒６７１が第一基盤６１から離れ易くすることを試みた。図２を参照しながら説明すると、通常、テーブルとして支柱２を立脚して使用している時は、巻きバネ６８の反発力によって下の座金６９を介して水平の係止棒６７１が下方に押し付けられるので、係止棒６７１の下面が螺旋面Ｓ１にロックされた状態で固着される。即ち、固定部６１０の第一基盤６１の螺旋面Ｓ１に係止棒６７１が螺旋面Ｓ１に食い込んだ状態になる。支柱２を外す時は、先ず天板１を逆さにし、次に、支柱２の径方向に貫通する小穴２１（図１参照）に梃子となるドライバー又は細い棒を入れて左側に３０〜４５度回転する。この回転の途中で係止棒６７１が第一基盤６１における開口穴６４の径方向の長穴６４２の位置にかかると、係止棒６７１が巻きバネ６８によって外に押しだされる途中で、係止棒６７１が長穴６４２の内周面６４３に噛合うようになる（図４参照）。係止棒６７１が内周面６４３に噛合ったこの状態を保ちつつ、更に支柱２の小穴２１に棒を入れたまま回転すると、係止棒６７１が内周面６４３に噛合ったまま梃子の原理で緩みながら、遂には巻きバネ６８の復元力によって係止棒６７１が長穴６４２から外に押し出されて支柱２が固定部６１０から外れる。即ち、第一基盤６１に係止棒６７１が螺旋面Ｓ１に食い込んだロック状態が解除されて、支柱２が固定部６１０から外れる。このようにして、テーブル１００の天板１から、支柱２を取り外すことができた。
【００２３】
次に、取り外した支柱を改めて天板に取付ける方法について図２を参照しながら説明する。テーブル１００を逆さまにして天板１に支柱２を固着するために、天板１に固着した固定部６１０の第一基盤６１に向けて、支柱２の上端内周部の嵌合孔６６を挿嵌する。同時にロック棒６７の係止棒６７１を開口穴６４の長穴６４２に合わせて挿通し、係止棒６７１を中の座金６９に当接させる。次いで、回動部６２０側の支柱２を軸周り回動させると、係止棒６７１は巻きバネ６８に押し戻されながらこの下側面は螺旋面Ｓ１に擦過しながら喰い込む。支柱２を僅かに回すだけで、上方の天板１の固定部６１０に支柱２側の回動部６２０に堅固に係合され、支柱２は殆どワンタッチに近い操作によって天板１に固着される。このように、雌螺子に雄螺子を締め付ける原理によって天板１に支柱２を固着できる。具体的には支柱２に螺子の１／４回転以下の軸周りの回動を加えるだけで瞬時に締め付け、或いは、必要に応じて緩めることができる。この場合、ロック棒６７の係止棒６７１は雄螺子の作用をし、傾斜面Ｓが雌螺子の作用をするので、螺子締めの原理で係止棒６７１が傾斜面Ｓに締まる。ロック棒６７及び傾斜面Ｓは金属製なので、雄螺子、雌螺子同士が損傷することなく堅固に係合して支柱がぐらつくようなことがない。しかも、この状態で中に巻きバネ６８が挟着されているので、巻きバネ６８が金属同士の接触の緩衝体となりカジリが生じるようなことは無い。
【００２４】
本発明による固定金具についてまとめると、特売期間が過ぎて用済みになったテーブルを天板と支柱を分解してコンパクトにして保管する場合は、支柱を取り付ける時とは逆向きに廻せば、支柱を極めて簡単、迅速に天板又は底板から外すことが出来る。また、支柱の回動操作を軽い力で行うためには、支柱の下端近くに小孔を設けて置き、この小孔に挿し込んだ梃となるドライバーや棒等を廻すとよい。このように、本発明による固定金具を備えたテーブルによれば、特売場等を開店し、しかる後、期間が過ぎたら支柱を瞬時に天板から取り外して分解し、速やかに次の会場の準備へ移る準備をすることができる。
【００２５】
第一基盤６１については他の実施態様が考えられ、図５を参照しながら以下に説明する。図に示すように、底面６２中央部の開口穴６４の上下に螺旋面Ｓ２、Ｓ２が形成されている。即ち、螺旋面Ｓ２、Ｓ２は、上半円の部位では、開口穴６４の上側の螺旋面の高い左端部から方向Ｗ１の向きに緩やかに捩れて傾斜しながら下降し、一方、下半円面の部位では開口穴６４の螺旋面の高い右端部から方向Ｗ２の向きに緩やかに捩れて傾斜しながら下降する。このように、底面６２は開口穴６４の両側の螺旋面Ｓ２、Ｓ２から構成される。ここで、上半分の螺旋面Ｓ２は左端部から方向Ｗ１の向きに一定の角度で傾斜するが、中心線ＣＬから斜線部扇型の角度Ｊの範囲で肉盛部Ｍを設け、それ以降はまた一定の角度で傾斜する。同様に、下半分の螺旋面Ｓ２は右端部から方向Ｗ２の向きに一定の角度で傾斜するが、中心線ＣＬから斜線扇形の角度Ｇの範囲で肉盛部Ｍを設け、それ以降はまた一定の角度で傾斜する。ここで、肉盛部Ｍの斜線扇形の角度Ｊ、Ｇは夫々３０度〜６０度である。また、肉盛部Ｍは図示のように扇形状であり、外周側の幅は７ｍｍ〜１０ｍｍ、内周側は３ｍｍ〜５ｍｍで、山状になだらかに肉盛りしたその最大高さは０．１ｍｍ〜０．５ｍｍ程度である。このように螺旋面の一部に肉盛りを施すことによって、ロック状態が非常に良好になることを確認できた。即ち、支柱２を回転して固定金具を締め付ける際に、ロック棒６７の係止棒６７１が肉盛部Ｍの山を越えるときに、肉盛部Ｍとロック棒６７１との間でロックが掛かり、締め付けがより堅固になる。一旦肉盛部Ｍの位置で締め付けが止まり、この山を越えるときに、締め付け力は増加する。このように上下の螺旋面Ｓ２に夫々肉盛部Ｍを設けることによって、支柱を天板に瞬時にロック・固着することができ、しかも、思いがけない衝撃等によってロック状態が解除されて、ついには、支柱が天板から外れて突然テーブルが崩れることがない。
【実施例２】
【００２６】
本発明の実施例２について、図６、図７を参照しながら説明する。図６は、テーブルの斜視図である。図７は、天板及び底板の部品図である。
【００２７】
本実施例の実施例１との主たる相違点は、固定金具を支柱の上下両方に採用したところにある。一本の支柱の下方端部に固定金具を使用して底板に固着する一方、支柱の上方端部を固定金具を使用して天板に固着する。かつ、底板及び天板の双方から支柱を容易に取り外すことができる。
【００２８】
図６（ａ）に示すテーブル２００において、実施例１と同様の固定金具を使用することによって、上方は天板１に支柱２の先端部を固着し、一方、下方は底板４に支柱２の下端部を固着する。そして、使用後は天板、底板及び支柱の３体へと瞬時に分解して切り離すことができるので、運搬或いは保管の都合がよい。ここで、支柱２の直径は、７６．３ｍｍ、１００．６ｍｍ、１３９ｍｍ、２１０ｍｍ或いは２８０ｍｍの薄肉円筒管を使用する。同図（ｂ）では、テーブル２００を逆さまにして固定金具の取付け状態を理解できるように示したものである。本図の上方の底板３の中央部に裏側から円状の固定金具６の第二基盤６２を螺着し、この固定金具６の第一基盤６１に図示しない表側から支柱２を固着する。底板３の裏側において、中心から放射状に５本のフラットバー３１を貼設し、底板３の剛性強度を補強する。フラットバー３１の先端の底板３の外周近傍には、アジャスタ９を設け底板の水平を微調整する。アジャスタ９を五個設けた場合、最も底板の水平を保つことが可能であり、特に天板の外径寸法が大きい場合にテーブルが倒れるのを防止する効果がある。また、底板３の中央部に裏側から固定金具６を螺着するにあたっては、小螺子をロックするために接着剤を流し込んで螺子の緩みを防ぎ、かつ、特殊の工具を使用しなければ螺子を緩めることができないように、螺子頭に特殊形状の溝を刻んだものを使用するとよい。なお、底板３の強度が高い場合は放射状のフラットバーを設けない。そして、先端の底板３の外周近傍に、直接アジャスタナットを複数箇所溶接し、これに夫々ボルトを螺着して底板３の水平を微調整する。一方同図下方の天板１側にも中心部に矩形状の固定金具６の第一基盤を螺着し、これに支柱２を固着する。この天板１の裏側においても、中心から放射状に４本のフラットバー１１を貼設し、底板３の剛性強度を補強する。これらのフラットバー１１は天板の下面を彫りこんで設けられており、外見的な出っ張りをなくしている。
【００２９】
次に、天板及び底板側から支柱を取り外した状態の固定金具について、図７を参照しながら説明する。図７（ａ）は天板１から支柱２を外した状態を示し、同図（ｂ）は底板３から支柱２を外した状態を示す。同図（ａ）では、天板１の裏面の中央部に固定金具６の固定部の第一基盤６１を示し、この中央部に開口穴６４が見える。同図（ｂ）では、底板３の中央部に固定金具６の固定部の第一基盤６１を示し、この中央部に開口穴６４が見える。
【実施例３】
【００３０】
実施例１では、固定金具を使用して支柱を天板に固着することを説明したが、本実施例は他の実施の態様であり、図８を参照しながら説明する。
【００３１】
本実施例の実施例１との主たる相違点は、固定金具を使用して底板に支柱を固着し、かつ、支柱を底板から容易に取り外すことができるようにしたところにある。以下、実施例１と相違する箇所について主に説明する。
【００３２】
図８では陳列棚の例を示し、実施例１と同様の固定金具を使用して底板に支柱を固着したところにある。陳列棚３００において、下方の底板３に固定金具６を使用することにより、左右の支柱２は左右の底板３に夫々着脱自在に連結される。底板３の表面には、固定金具６の第一基盤６１を示す。付随的には、支柱２の軸方向に穿設した多数のスリット２２を利用して、棚５を多段に設けることができる。
【００３３】
ここで、陳列棚３００の製品仕様の例を示す。支柱２は、外径５０．８ｍｍ、肉厚１．９ｍｍ、高さは１，３５０〜１，６００ｍｍ、或いは１８００〜２，１００ｍｍである。底板３は厚さ４．５ｍｍのスチール製板で、４００〜５００ｍｍの大きさである。底板３は表面が鏡面にならないように、ショットブラストを施して梨地模様とし、或いはヘアーライン模様とする。その他、陳列棚２００の支柱２として、他に一辺５０ｍｍの角パイプを使用することもある。支柱２はスチール、ステンレス又はアルミ製の円筒管であり、スチール製の場合はクロムメッキによる鏡面仕上げ、或いは、ショットブラスト処理を施した後クロムメッキをする。その他、黒色粉体塗装を施し、或いは、シルバー色を施すこと等により防錆効果を狙うこともある。また、テーブル及び陳列棚の固定金具の素材として、ステンレス材を使用する。
【産業上の利用可能性】
【００３４】
なお、本発明の固定金具の使途は、テーブル等家具、陳列棚等に限るものではなく、天板に支柱を着脱自在に固着する用途に適用させてもよい。例えば、天板の上で作業するために使用する作業台、机等に固定金具を使用することでも勿論よい。
【符号の説明】
【００３５】
１００、２００  テーブル
３００  陳列棚
１  天板
２  支柱
２１  小穴、２２  スリット
３  底板
５  棚
６  固定金具
６１０  固定部
６２０  回動部
６１  第一基盤
６１１  底面
６１２  傾斜面
６１３  傾斜面
６２  第二基盤、６２１  底面
６３  嵌合突起
６４  開口穴、６４１  丸穴、６４２  長穴、６４３  内周面
６５  渡し板
６６  嵌合部
６７  ロック棒、６７１  係止棒、６７２  垂直棒
６７１ａ、６７１ｂ、６７１ｃ、６７１ａ‘、６７１ｂ’、６７１ｃ‘  平坦面
６８  巻きバネ
６９  座金
７１  第一基盤
７４  開口穴
９  アジャスタ
Ｋ、Ｌ  角度
Ｍ  肉盛部
Ｓ１、Ｓ２  螺旋面
Ｘ  矢視
Ｙ１、Ｙ２、Ｗ１、Ｗ２  方向
【図１】
0005438701.tif 000002
【図２】
0005438701.tif 000003
【図３】
0005438701.tif 000004
【図４】
0005438701.tif 000005
【図５】
0005438701.tif 000006
【図６】
0005438701.tif 000007
【図７】
0005438701.tif 000008
【図８】
0005438701.tif 000009
【図９】
0005438701.tif 000010